(57)【要約】      （修正有）【課題】スクーバダイビング講習、スクーバダイビングツアーにおける顧客の利便性を図る為に、顧客の希望する指導員及びガイドを選択可能とし希望の日時、希望の場所で顧客自身が開催内容企画を可能にすること。またこれを実現する為に、インターネット上のＷＥＢサイトに記録されている顧客主導型スクーバダイビング指導内容企画派遣情報システムを提供すること。【解決手段】供給者登録を希望する指導員及びガイドがインターネットを使用し、顧客主導型スクーバダイビング指導内容企画派遣情報システムへの登録を行う登録手段と、登録ＩＤごとに情報を格納して管理する指導員及びガイドデータベースを有する顧客主導型スクーバダイビング指導内容企画派遣情報システムをインターネット上のＷＥＢサイトとして展開する事で、顧客が自ら講習場所、講習内容を企画し、指導員及びガイドを決定する事ができ指導料金内容の検索・閲覧・決定を可能にした。【選択図】図１
2006048615.tif 000002
【特許請求の範囲】
【請求項１】
インターネット上のＷＥＢサイトとしてコンピューターで動作するシステムであり、供給者登録を希望するスクーバダイビングインストラクター及びスクーバダイビングガイド（以下指導員及びガイドとする）がインターネットを使用し、顧客主導型スクーバダイビング指導内容企画派遣情報システムへの登録を行う登録手段と、登録ＩＤごとに情報を格納して管理する指導員及びガイドデータベースを有し、顧客が自ら講習場所、講習内容を企画し、指導員及びガイドを決定し、指導料金内容の確認が可能な検索・閲覧・決定手段を備えた事を特徴とする顧客主導型スクーバダイビング指導内容企画派遣情報システム。
【請求項２】
請求項１記載の顧客主導型スクーバダイビング指導内容企画派遣情報システムでの顧客のみが閲覧、利用できるスクーバダイビング用品販売情報が格納された事を特徴とするコンピューター読み取り可能な記録媒体。
【請求項３】
請求項２記載の顧客主導型スクーバダイビング指導内容企画派遣情報システムに提携現地スクーバダイビングサービス情報及び特典情報が格納された事を特徴とするコンピューター読み取り可能な記録媒体。
【発明の詳細な説明】
【技術分野】
【０００１】  本発明は、顧客主導型スクーバダイビング指導内容企画派遣情報システム及びこれを記録したコンピューター読み取り可能な記録媒体に関する。
【背景技術】
【０００２】  従来よりのスクーバダイビング講習、スクーバダイビングツアーの形態では、顧客が開催日程や場所、担当指導員及びガイドを自由に決める事ができないばかりか、スクーバダイビング講習を受講したり、スクーバダイビングツアーに参加する為にスクーバダイビングショップ等へ通う必要があった。またインターネットでスクーバダイビングショップを検索しても、希望するスクーバダイビングショップが遠隔の地である場合は希望通りのスクーバダイビングショップを利用できなかった。
【発明の開示】
【発明が解決しようとする課題】
【０００３】  しかしながら以上の背景によれば、スクーバダイビング講習の受講したり、スクーバダイビングツアーに参加する為にはスクーバダイビングショップ等に通う事が必要であり、開催の日時や場所を顧客が決める事はできず顧客は時間的、精神的な制限を受けている。また、スクーバダイビング講習を受講する際の担当指導員やスクーバダイビングツアーの際の担当ガイドを顧客が明示的に決定する事ができない。
そこで、この発明は、時間の制限を受ける事無く顧客が主体となってスクーバダイビング講習やプライベートなスクーバダイビングツアーを自ら開催できる為の手助けとなり、顧客自身が指導員及びガイドを決定し、開催日時や場所も決める事ができ、さらにスクーバダイビングショップ等へ通う手間もかからない利便なサービスを実現する為、ＷＥＢサーバー上で動作するコンピューター読み取り可能な記録媒体に記録された顧客主導型スクーバダイビング指導内容企画派遣情報システムを提供する事を課題とする。
【課題を解決するための手段】
【０００４】  以上の課題を解決する為に第一発明は、供給者登録を希望する指導員及びガイドがインターネットを使用し、顧客主導型スクーバダイビング指導内容企画派遣情報システムへの登録を行う登録手段と、登録ＩＤごとに情報を格納して管理する指導員及びガイドデータベースを有し、顧客が自ら講習場所、講習内容を企画し、指導員及びガイドを決定する事ができ、指導料金内容の確認が可能な検索・閲覧・決定手段を備えた顧客主導型スクーバダイビング指導内容企画派遣情報システムをコンピューター読み取り可能な記録媒体としてのＷＥＢサイトとしてインターネット上に展開する事である。【０００５】また、第二発明は、請求項１記載の顧客主導型スクーバダイビング指導内容企画派遣情報システムにおいて顧客のみが閲覧、利用できるスクーバダイビング用品販売情報が格納された事を特徴とするコンピューター読み取り可能な記録媒体である。【０００６】また、第三発明は、請求項２記載の顧客主導型スクーバダイビング指導内容企画派遣情報システムに提携現地スクーバダイビングサービス情報及び特典情報が格納された事を特徴とするコンピュータ読み取り可能な記録媒体である。
【発明の効果】
【０００７】  第一発明、第二発明及び第三発明によれば、スクーバダイビング講習を受講したり、スクーバダイビングツアーに参加する為にスクーバダイビングショップ等に通う必要がなくなり、開催の日時や場所を顧客が自由に決める事ができるようになった。また、スクーバダイビング講習を受講する際の担当指導員やスクーバダイビングツアーに参加する際の担当ガイドを顧客が明示的に決定できるようになった。
さらに、指導員及びガイド情報がＷＥＢサイトに記録された時点で顧客の検索・閲覧・決定の対象とする事が可能になった。
顧客主導型スクーバダイビング指導内容企画派遣情報システムはインターネット上で動作するシステムであるので、既存のインターネットに接続しうるコンピューター端末機環境があれば利用可能である。その結果、専用ソフトウェアやアクセス設備などを揃える為の初期投資が一切不要となっている。
【発明を実施するための最良の形態】
【０００８】本発明の実施形態を図面に基づき説明する。図１は本実施形態の顧客主導型スクーバダイビング指導内容企画派遣情報システムのネットワーク図である。同図においては、本実施形態の顧客主導型スクーバダイビング指導内容企画派遣情報システム１を示している。【０００９】インターネット上のＷＥＢサーバー２はコンピューターであり、ハードディスク、ＤＶＤドライブ、ＣＤ−ＲＯＭドライブ、フロッピーディスクドライブなどのコンピューター読み取り可能な記録媒体が搭載されている。このコンピューター読み取り可能な記録媒体に顧客主導型スクーバダイビング指導内容企画派遣情報システム１が記録されており顧客のＷＥＢブラウザを備えたインターネットに接続可能な顧客端末機３から利用できる。【００１０】顧客が顧客端末機３よりＷＥＢサーバー２にアクセスし、顧客主導型スクーバダイビング指導内容企画派遣情報システム１を利用して指導員及びガイド情報を検索、閲覧、決定した際に発生する指導員・ガイド検索・閲覧・決定要求４に対する検索・閲覧結果６は、ＷＥＢサーバー２に記録された顧客主導型スクーバダイビング指導内容企画派遣情報システム１により顧客端末機３に返される。【００１１】また申込内容１０、指導員及びガイド決定情報５はそれぞれ事務局端末機８及び指導員及びガイド端末機７へと返される。これらの情報は全てインターネットメールにより配信される為、申込内容、決定情報についてはそれぞれ後刻事務局が顧客、指導員及びガイドへ内容確認をする。【００１２】図２は顧客から見た顧客主導型スクーバダイビング指導内容企画派遣情報システム利用形態のフロー図であり、顧客がＷＥＢブラウザを備えたインターネットに接続可能な顧客端末機３からＷＥＢサーバー２に記録された顧客主導型スクーバダイビング指導内容企画派遣情報システム１にアクセスし、本サービスへの申込を行った場合の情報の流れを示している。【００１３】顧客が顧客主導型スクーバダイビング指導内容企画派遣情報システム１の利用を申し込む為には、まずＷＥＢサーバー２に記録された顧客主導型スクーバダイビング指導内容企画派遣情報システム１にアクセスする。顧客は顧客主導型スクーバダイビング指導内容企画派遣情報システム１内の申込メイン画面１２にて、顧客の各種個人情報及びスクーバダイビング講習またはスクーバダイビングツアーの概略とそのスクーバダイビング講習、スクーバダイビングツアーを担当する指導員及びガイドを選択する。【００１４】申込メイン画面１２で指導員及びガイド選択ボタンをクリックすると、画面は指導員及びガイド検索画面１４に切り替わり、ここで各種検索条件を入力、選択して決定ボタンをクリックすると該当する指導員及びガイドが指導員及びガイドデータベース１３より抽出される。【００１５】検索条件に該当する指導員及びガイドが抽出されると、画面が指導員及びガイド決定画面１５に切り替わる。抽出された指導員及びガイドの中から希望する指導員及びガイドを選択して決定ボタンをクリックすると指導員及びガイド決定情報として申込メイン画面１２に反映される。【００１６】申込メイン画面１２にて各種個人情報及びスクーバダイビング講習バリエーションまたはスクーバダイビングツアーの概略の入力とそのスクーバダイビング講習、スクーバダイビングツアーを担当する指導員及びガイドの選択が終わったら、申込メイン画面１２内の決定ボタンをクリックする。【００１７】申込メイン画面１２で決定ボタンがクリックされると情報は申込データ１１としてＷＥＢサーバー２に記録された顧客主導型スクーバダイビング指導内容企画派遣情報システム１に移行される。【００１８】申込データ１１は顧客主導型スクーバダイビング指導内容企画派遣情報システム１より申込内容１０として事務局１８へと配信される。決定された指導員及びガイド１９へは指導員・ガイド決定情報５が配信される。【００１９】申込内容１０が配信された時点で、事務局１８は申込をした顧客に対し、申込内容確認１７をおこなう。また、決定された指導員及びガイド１９に対しては決定確認１６をおこなう。【００２０】顧客及び顧客の決定した指導員及びガイドそれぞれに対し、申込内容確認、決定確認が完了した時点で顧客主導型スクーバダイビング指導内容企画派遣情報システム１の利用契約を締結したものとする。【００２１】顧客主導型スクーバダイビング指導内容企画派遣情報システム１の利用契約が締結されると、顧客の申込内容１０に従って顧客指定の日時に指定場所へと決定された指導員及びガイドが派遣される。【００２２】次に図３は供給者登録希望指導員及びガイド２１から見た顧客主導型スクーバダイビング指導内容企画派遣情報システム１に搭載される情報登録システム２４のネットワークを説明した指導員及びガイド情報登録システムネットワーク図である。【００２３】供給者登録希望指導員及びガイド２１は顧客主導型スクーバダイビング指導内容企画派遣情報システム１に登録する為に、顧客主導型スクーバダイビング指導内容企画派遣情報システム１に記録された契約登録画面２２にアクセスして各種個人情報及び各種経験情報を入力し、決定ボタンをクリックする。【００２４】契約登録画面２２で入力された登録データ２３は顧客主導型スクーバダイビング指導内容企画派遣情報システム１に搭載された情報登録システム２４によって事務局１８に配信される。【００２５】事務局１８は登録データ２３が配信されると当該供給者登録希望指導員及びガイド２１に登録内容確認２０をおこなう。【００２６】登録内容確認２０後、事務局１８により承認された登録データ２３は指導員及びガイドデータベース１３に登録される。登録された登録データ２３は情報提供システム２５により、情報検索可能なものとなる。【００２７】図４は顧客主導型スクーバダイビング指導内容企画派遣情報システム１でメンバー登録された顧客２６へのスクーバダイビング用品販売情報２７と提携現地スクーバダイビングサービス情報及び特典情報２８の提供方法を示したものである。【００２８】メンバーとして登録された顧客２６は、顧客主導型スクーバダイビング指導内容企画派遣情報システム１内にあるスクーバダイビング用品販売情報２７、提携現地スクーバダイビングサービス情報及び特典情報２８の検索・閲覧が可能になっている。スクーバダイビング用品販売情報２７、提携現地スクーバダイビングサービス情報及び特典情報２８はインターネットのＷＥＢサイト上にあるが、メンバー以外はアクセスできず、顧客主導型スクーバダイビング指導内容企画派遣情報システム１のメンバーだけがこれを利用できる。
【図面の簡単な説明】
【００２９】
【図１】顧客主導型スクーバダイビング指導内容企画派遣情報システムの実施形態を示したもので、顧客と指導員及びガイド、顧客主導型スクーバダイビング指導内容企画派遣情報システム及び事務局との結びつきをあらわしたものである。
【図２】顧客主導型スクーバダイビング指導内容企画派遣情報システムの実施形態を顧客の立場から見て説明したものである。顧客が顧客主導型スクーバダイビング指導内容企画派遣情報システムを利用する際に発生するデータの流れを示している。
【図３】顧客主導型スクーバダイビング指導内容企画派遣情報システムの実施の形態を供給者登録希望指導員及びガイドの立場から見て説明したものである。供給者登録希望指導員及びガイドが顧客主導型スクーバダイビング指導内容企画派遣情報システムに指導員及びガイド情報を登録する際に発生するデータの流れと事務局の動作を示している。
【図４】顧客主導型スクーバダイビング指導内容企画派遣情報システムにおける顧客へのスクーバダイビング用品販売情報及び提携現地スクーバダイビングサービス情報提供並びに特典情報の提供方法概略を示している。
【符号の説明】
【００３０】１顧客主導型スクーバダイビング指導内容企画派遣情報システムの本体
２インターネット上のＷＥＢサーバー
３顧客端末機
４指導員・ガイド検索・閲覧・決定要求
５指導員・ガイド決定情報
６検索・閲覧結果
７指導員及びガイド端末機
８事務局端末機
９運営・管理・メンテナンス
１０申込内容
１１申込データ
１２申込メイン画面
１３指導員及びガイドデータベース
１４指導員及びガイド検索画面
１５指導員及びガイド決定画面
１６決定確認
１７申込内容確認
１８事務局
１９指導員及びガイド
２０登録内容確認
２１供給者登録希望指導員及びガイド
２２契約登録画面
２３登録データ
２４情報登録システム
２５情報提供システム
２６顧客
２７スクーバダイビング用品販売情報
２８提携現地スクーバダイビングサービス情報及び特典情報
【図１】
2006048615.tif 000003
【図２】
2006048615.tif 000004
【図３】
2006048615.tif 000005
【図４】
2006048615.tif 000006